(57)【要約】【課題】調光コントローラと調光用放電灯点灯装置による照明制御システムを簡易に実現可能とし、調光信号の配線を簡略化する。【解決手段】交流電源電圧Ｖｓの入力端子Ａと、放電灯ＦＬを接続されるランプ出力端子Ｂと、調光信号を受信するための調光信号入力端子Ｃとを有し、ランプ出力端子Ｂに接続される放電灯ＦＬを調光信号に応じた出力で点灯させる調光用放電灯点灯装置２ａにおいて、調光信号入力端子Ｃから入力される調光信号と同一の調光信号を出力する調光信号出力端子Ｄを設け、端子Ｄから出力される調光信号を少なくとも１つの調光用放電灯点灯装置１ａ，１ｂ，…に供給し、点灯装置２ａの調光信号入力端子Ｃには調光コントローラ３から調光信号を入力する。【選択図】図１
2008010152.tif 000002
【特許請求の範囲】
【請求項１】
交流電源電圧の入力端子と、放電灯を接続されるランプ出力端子と、調光信号を受信するための調光信号入力端子とを有し、ランプ出力端子に接続される放電灯を調光信号に応じた出力で点灯させる調光用放電灯点灯装置において、調光信号入力端子から入力される調光信号と同一の調光信号を出力する調光信号出力端子を有することを特徴とする調光信号出力機能を有する放電灯点灯装置。
【請求項２】
請求項１記載の調光信号出力機能を有する放電灯点灯装置と、前記調光信号出力機能を有する放電灯点灯装置の調光信号入力端子に入力される調光信号を出力する調光コントローラと、前記調光信号出力機能を有する放電灯点灯装置の調光信号出力端子から出力される調光信号を調光信号入力端子に入力される少なくとも１つの調光用放電灯点灯装置とから構成される照明制御システム。
【請求項３】
請求項１記載の調光信号出力機能を有する放電灯点灯装置を複数台備え、１つの放電灯点灯装置の調光信号入力端子に他の１つの放電灯点灯装置の調光信号出力端子から出力される調光信号を入力したことを特徴とする照明制御システム。
【請求項４】
交流電源電圧の入力端子と、放電灯を接続されるランプ出力端子と、接続された放電灯の点灯時間を計測する計時機能とを有し、計測した点灯時間に対応するランプ出力となるように放電灯を調光点灯させる放電灯点灯装置において、計測した点灯時間に対応するランプ出力となるように放電灯を調光点灯させるための調光信号を外部に出力する調光信号出力端子を設けたことを特徴とする調光信号出力機能を有する放電灯点灯装置。
【請求項５】
請求項４記載の調光信号出力機能を有する放電灯点灯装置と、前記調光信号出力機能を有する放電灯点灯装置の調光信号出力端子から出力される調光信号を調光信号入力端子に入力される少なくとも１つの調光用放電灯点灯装置とから構成される照明制御システム。
【発明の詳細な説明】
【技術分野】
【０００１】
本発明は調光信号出力機能を有する放電灯点灯装置及びこれを用いた照明制御システムに関するものである。
【背景技術】
【０００２】
交流電源を高周波に変換し、放電灯を点灯させる放電灯点灯装置の出力を任意に可変するための調光信号には、大きく二つのタイプがある。一つは、周波数が一定でパルス幅（デューティ）を可変とした矩形波信号よりなるＰＷＭ信号である。これは、ビル・店舗・オフィス等において多く使用されている。もう一つは、直流の電圧レベルや電流レベルを可変とするＤＣ信号の調光信号である。これは、その他の用途や海外で広く使用されている。
【０００３】
例えば、特許文献１（特公平８−１２７９７号公報）には、ＰＷＭ信号を送出する調光信号送出装置と、ＰＷＭ信号を入力し、そのデューティ比に応じた直流信号を生成すると共に、直流信号に応じた制御信号を発生する制御装置と、制御信号により制御されて動作し、低周波交流を高周波電力に変換する高周波発生装置と、高周波発生装置により付勢される調光点灯可能なランプとを具備する照明制御装置が開示されている。
【０００４】
一方、調光用放電灯点灯装置の利用形態として、負荷である放電灯の光束減退を考慮して、点灯の初期には調光状態とすることで節電し、点灯時間（寿命）の経過とともに徐々に放電灯の出力を高くしていき、結果として照明器具からの光出力を一定とするようなものがある。
【０００５】
例えば、特許文献２（特開２００１−１５２７６号公報）には、放電灯点灯装置への給電時間を放電灯の点灯時間として計時する点灯時間タイマと、放電灯の点灯時間の経過に伴う光束低下を抑制するように点灯時間タイマにより計時された点灯時間に応じて放電灯への供給電力を放電灯点灯装置に指示する照度補正装置とを一つの器具に備える初期照度補正機能付き照明装置が開示されている。
【特許文献１】特公平８−１２７９７号公報
【特許文献２】特開２００１−１５２７６号公報
【発明の開示】
【発明が解決しようとする課題】
【０００６】
特許文献１のＰＷＭ信号を用いた調光コントローラによる照明システムでは、ＰＷＭ信号を出力する１つの調光コントローラで複数台の放電灯点灯装置を制御する構成をとる。この場合、点灯装置の台数が多くなると、調光コントローラから点灯装置へのＰＷＭ信号の配線が長くなり、配線コストがかさむ。また、信号の減衰等を考慮する必要があった。
【０００７】
特許文献２の初期照度補正機能付き照明装置においては、点灯装置または照明器具個々に点灯時間タイマーが必要であるので、装置が複雑で高価なものとなる。
【０００８】
本発明はこのような点に鑑みてなされたものであり、調光コントローラと調光用放電灯点灯装置による照明制御システムを簡易に実現可能とし、調光信号の配線を簡略化することを課題とする。また、初期照度補正機能を有する照明制御システムを従来より安価に実現可能とすることを課題とする。
【課題を解決するための手段】
【０００９】
請求項１の発明は、上記の課題を解決するために、図１に示すように、交流電源電圧Ｖｓの入力端子Ａと、放電灯ＦＬを接続されるランプ出力端子Ｂと、調光信号を受信するための調光信号入力端子Ｃとを有し、ランプ出力端子Ｂに接続される放電灯ＦＬを調光信号に応じた出力で点灯させる調光用放電灯点灯装置において、調光信号入力端子Ｃから入力される調光信号と同一の調光信号を出力する調光信号出力端子Ｄを有することを特徴とするものである。
【００１０】
請求項２の発明は、請求項１記載の調光信号出力機能を有する放電灯点灯装置２ａと、前記調光信号出力機能を有する放電灯点灯装置２ａの調光信号入力端子Ｃに入力される調光信号を出力する調光コントローラ３と、前記調光信号出力機能を有する放電灯点灯装置２ａの調光信号出力端子Ｄから出力される調光信号を調光信号入力端子に入力される少なくとも１つの調光用放電灯点灯装置１ａ，１ｂ，…とから構成される照明制御システム（図１参照）である。
【００１１】
請求項３の発明は、請求項１記載の調光信号出力機能を有する放電灯点灯装置２ａ，２ｂ，…を複数台備え、１つの放電灯点灯装置２ｂの調光信号入力端子Ｃに他の１つの放電灯点灯装置２ａの調光信号出力端子Ｄから出力される調光信号を入力したことを特徴とする照明制御システム（図１参照）である。
【００１２】
請求項４の発明は、上記の課題を解決するために、図４に示すように、交流電源電圧Ｖｓの入力端子Ａと、放電灯ＦＬを接続されるランプ出力端子Ｂと、接続された放電灯ＦＬの点灯時間を計測する計時機能とを有し、計測した点灯時間に対応するランプ出力となるように放電灯ＦＬを調光点灯させる放電灯点灯装置において、計測した点灯時間に対応するランプ出力となるように放電灯ＦＬを調光点灯させるための調光信号を外部に出力する調光信号出力端子Ｄを設けたことを特徴とするものである。
【００１３】
請求項５の発明は、請求項４記載の調光信号出力機能を有する放電灯点灯装置４と、前記調光信号出力機能を有する放電灯点灯装置４の調光信号出力端子Ｄから出力される調光信号を調光信号入力端子Ｃに入力される少なくとも１つの調光用放電灯点灯装置１ａ，１ｂ，…，２ｂ，…とから構成される照明制御システム（図４参照）である。
【発明の効果】
【００１４】
請求項１〜３の発明によれば、調光用放電灯点灯装置に放電灯を調光制御するための調光信号と同一の調光信号を出力する端子を設けたので、従来、調光コントローラから一括して信号配線をしていた場合に比べると、調光コントローラから遠い調光用放電灯点灯装置までの調光信号の配線を短くすることができ、調光信号の減衰の影響が小さくなり、より大きな照明制御システムを組むことが可能になる。
【００１５】
請求項４の発明によれば、計時機能と計時した時間に対応するランプ出力となるように放電灯を調光点灯させるための調光信号を出力する機能を持たせたので、他の調光用放電灯点灯装置は調光信号入力端子付きのものでよく、点灯時間を計時する機能や計時された点灯時間に応じた照度補正のための演算機能を設ける必要がなくなり、初期照度補正機能付きの照明制御システムが安価に構成可能となる。
【発明を実施するための最良の形態】
【００１６】
（実施形態１）
図１は本発明の実施形態１に係る照明制御システムの構成を示すブロック回路図である。交流電源Ｖｓに調光コントローラ３が接続されており、調光コントローラ３は調光状態に対応する信号であるＰＷＭ信号を出力し、このＰＷＭ信号はマスターインバータ２ａの調光信号入力端子Ｃに入力される。さらに、マスターインバータ２の調光信号出力端子Ｄは少なくとも１つのスレーブインバータ１ａ，１ｂ，…の調光信号入力端子に接続されている。点灯装置の数が多い場合には、図１のようにサブマスターインバータ２ｂを介して、ＰＷＭ信号を中継することができる。
【００１７】
ここで、照明制御システムの構成上、調光コントローラ３から調光信号線を接続されるものをマスターインバータと呼び、マスターインバータ２ａの調光信号出力端子Ｄから調光信号線を接続されるものをサブマスターインバータ２ｂと呼ぶ。また、スレーブインバータ１ａ，１ｂとは、図３のように、交流電源電圧の入力端子と、ランプ出力端子と、調光制御信号を受信するための調光信号入力端子を有し、ランプ出力端子に接続される放電灯ＦＬを調光信号に応じた出力で点灯させる通常の調光用放電灯点灯装置のことを言う。
【００１８】
マスターインバータ２ａ、サブマスターインバータ２ｂは、調光信号出力機能を有する放電灯点灯装置であり、図２に示すように、交流電源電圧の入力端子Ａと、ランプ出力端子Ｂと、調光制御信号を受信するための調光信号入力端子Ｃとを有し、ランプ出力端子Ｂに接続される放電灯ＦＬを調光信号に応じた出力で点灯させる調光用放電灯点灯装置であって、調光信号入力端子Ｃから入力される調光信号と同一の調光信号を出力する調光信号出力端子Ｄを有している。図２において、調光信号出力端子Ｄは必ずしもランプ出力端子Ｂと同じ側に設けることは必須ではなく、また、ランプ出力端子Ｂは負荷の数に応じて変わることは言うまでも無い。
【００１９】
マスターインバータ２ａは、調光コントローラ３から調光線を介して調光制御状態に対応したＰＷＭ信号を受信し、ＰＷＭ信号に応じた調光状態でランプ出力端子Ｂに接続された放電灯負荷ＦＬを調光点灯させるとともに、調光コントローラ３から受けたのと同一のＰＷＭ信号を調光信号出力端子Ｄから出力し、出力されたＰＷＭ信号は調光線を介してスレーブインバータ１ａ，１ｂ，…の調光信号入力端子に入力される。ここで言う同一とは、ＰＷＭ信号によりマスターインバータ２ａとスレーブインバータ１ａ，１ｂ，…の調光状態がほぼ同じとなれば十分であり、厳密に信号波形が同じであることを言うのではない。このような構成とすることで、調光コントローラ３から離れたインバータ１ａ，１ｂ，…に対しては、マスターインバータ２ａからＰＷＭ信号線を配線することが可能である。よって、調光コントローラ３から全てのインバータに対してＰＷＭ信号線を配線する必要が無くなり、配線長が結果的に短くなり、配線コストが安くなる。また、配線長が短いので、ＰＷＭ信号の減衰の影響も少なくなる。
【００２０】
図３はスレーブインバータ１（図１の１ａ，１ｂに対応）の構成例を示している。調光信号入力端子に入力されたＰＷＭ信号は整流回路１１により無極性化され、絶縁回路１２によりアイソレーションされて、信号変換回路１３に入力される。信号変換回路１３では、ＰＷＭ信号のデューティに応じた直流電圧が出力制御信号として生成される。制御回路１４では、ＰＷＭ信号のデューティに応じた直流電圧に応じて高周波インバータ１５の動作を制御して、放電灯負荷ＦＬの光出力を可変とする。高周波インバータ１５は、電源整流部１６を介して交流電源Ｖｓから商用の交流電圧を供給されており、スイッチング素子や共振回路を用いた周知の高周波変換回路により高周波交流電圧を発生するものであり、高周波変換回路の発振周波数を変化させる等の手段により高周波出力を可変とするものである。
【００２１】
図３のスレーブインバータの構成において、調光信号出力端子（図示せず）を追加し、例えば、絶縁回路１２におけるフォトカプラＰＣ１の出力をオペアンプによってインピーダンス変換した信号を調光信号出力端子から出力することでマスターインバータ（図１の２ａ，２ｂに対応）としても良い。あるいは、信号変換回路１３から出力制御信号として出力される直流電圧を再びＰＷＭ信号に変換するＤＣ／ＰＷＭ変換回路を調光信号出力端子（図示せず）と信号変換回路１３の間に設けても良い。ここで言うＤＣ／ＰＷＭ変換回路とは、例えば、三角波発振回路と電圧比較回路と出力バッファを含んで構成され、信号変換回路１３から出力される直流電圧と三角波発振回路から出力される三角波電圧を電圧比較回路により比較することでＰＷＭ信号に変換し、オペアンプ等で構成される出力バッファにより低インピーダンス化して出力する。
【００２２】
マスターインバータ２ａ，２ｂにおけるＰＷＭ信号の生成機能は、ハードウェア回路に限定されるものではなく、例えば点灯装置の制御回路を構成するマイコンによって適当な周波数とオン・デューティの信号を発生し、オペアンプによってインピーダンス変換した信号を調光信号出力端子から出力する構成としても良い。
【００２３】
（実施形態２）
上述の実施形態１では、調光信号としてＰＷＭ信号を用いたが、これに限定されるものではなく、ＤＣ信号を調光信号として用いても良い。また、ＤＣ信号とＰＷＭ信号を混在させても良く、例えば、調光コントローラ３からマスターインバータ２ａまでの調光信号はＤＣ信号とし、マスターインバータ２ａからスレーブインバータ１ａ，１ｂ，…への調光信号はＰＷＭ信号としても良い。その逆に、調光コントローラ３からマスターインバータ２ａまでの調光信号はＰＷＭ信号とし、マスターインバータ２ａからスレーブインバータ１ａ，１ｂ，…への調光信号はＤＣ信号としても良い。以下の実施形態３においても同様である。
【００２４】
（実施形態３）
図４は初期照度補正機能を有する照明制御システムの構成を示すブロック回路図である。交流電源Ｖｓにタイマー機能付きインバータ４が接続されており、タイマー機能付きインバータ４は初期照度補正機能をシステム全体で共有するためのＰＷＭ信号を出力し、このＰＷＭ信号は少なくとも１つのスレーブインバータ１ａ，１ｂ，…の調光信号入力端子に入力されている。点灯装置の数が多い場合には、図４のようにサブマスターインバータ２ｂを介して、ＰＷＭ信号を中継することができる。
【００２５】
フロア内の照明器具の放電灯を一斉に交換する場合には、放電灯の光束減退はほぼ同様であるので、１つのタイマー機能付きインバータ４で点灯時間を計時してシステム全体の調光状態を決定し、他のインバータ１ａ，１ｂ，…，２ｂへ調光信号を送ることで、フロア全体の照明器具のランプ照度がほぼ同一に保たれるのである。これにより、調光コントローラを使用したシステムに比べると、調光信号配線が短くなり、配線コストが安くなるという効果がある。また、インバータ個々にタイマー機能が必要でないので、タイマー機能付きインバータ４以外のインバータ１ａ，１ｂ，…，２ｂの機能が簡単になるので、結果としてシステムの構成コストが安くなる。
【００２６】
図５はタイマー機能付きインバータ４の構成例を示している。タイマー機能付きインバータ４は、交流電源電圧の入力端子と、放電灯ＦＬを接続されるランプ出力端子と、初期照度補正用のＰＷＭ信号を出力する調光信号出力端子とを有し、接続された放電灯ＦＬの点灯時間を計測し、点灯時間に対応するランプ出力となるように放電灯ＦＬを調光点灯させる制御機能を有している。
【００２７】
点灯装置には昇圧チョッパとハーフブリッジ回路を組み合わせた回路を採用している。すなわち、電源Ｖｓを全波整流するダイオードブリッジよりなる整流器ＤＢ１を備え、整流器ＤＢ１の直流出力端間にはインダクタＬ１を介してＭＯＳＦＥＴよりなるスイッチング素子Ｑ３が接続される。さらに、スイッチング素子Ｑ３の両端間にはダイオードＤ１と平滑コンデンサＣ１との直列回路が接続され、この平滑コンデンサＣ１を電源としてインバータ回路が駆動されるようになっている。
【００２８】
インバータ回路は、平滑コンデンサＣ１の両端間に接続されたＭＯＳＦＥＴからなる一対のスイッチング素子Ｑ１，Ｑ２の直列回路を備え、一方のスイッチング素子Ｑ２の両端間に、直流カット用のコンデンサＣ２と共振用のインダクタＬ２と放電灯ＦＬとの直列回路が接続された構成を有する。また、放電灯ＦＬの両フィラメントの非電源側端間にはインダクタＬ２とともに共振回路を構成するコンデンサＣ３が接続される。スイッチング素子Ｑ１〜Ｑ３はインバータ制御部ＣＮ１により高周波でオン・オフされ、スイッチング素子Ｑ１，Ｑ２は交互にオン・オフされる。また、インバータ制御部ＣＮ１には照度補正装置５からの調光信号が入力され、スイッチング素子Ｑ１，Ｑ２のオン・オフの周期（つまり動作周波数）を制御することによって、放電灯ＦＬに供給する電力を調節するようになっている。
【００２９】
図５に示す点灯装置の動作は周知のものであって、インダクタＬ１とスイッチング素子Ｑ３とダイオードＤ１と平滑コンデンサＣ１とにより構成された昇圧チョッパ回路により整流器ＤＢ１からの出力電圧を昇圧し、スイッチング素子Ｑ１，Ｑ２を交互にオン・オフさせることによって放電灯ＦＬに交番電流を流すのである。ここで、放電灯ＦＬへの給電経路にはインダクタＬ２およびコンデンサＣ３が存在するから、スイッチング素子Ｑ１，Ｑ２のオン・オフの周期（動作周波数）とインダクタＬ２およびコンデンサＣ３などによる共振周波数との関係によって、放電灯ＦＬへの供給エネルギを調節することができる。
【００３０】
点灯時間検出部は交流電源Ｖｓの電圧を分圧する抵抗Ｒ１，Ｒ２の直列回路と、抵抗Ｒ２の両端電圧を全波整流するダイオードブリッジよりなる整流器ＤＢ２と、整流器ＤＢ２の出力電圧を平滑する平滑コンデンサＣ４とからなる。つまり、平滑コンデンサＣ４の両端電圧が規定電圧以上である期間を点灯時間タイマー６が計時する。
【００３１】
照度補正装置５は点灯時間タイマー６とともにマイコンにより構成される。このマイコンには点灯時間タイマー６による計時時間を読み書きするととともに照度補正装置５において用いる補正用テーブルを格納したＥＥＰＲＯＭである不揮発性メモリー７が設けられる。補正用テーブルは放電灯ＦＬの使用時間と補正用の調光比とを対応付けたテーブルであって、照度補正装置５に設けた調光比設定部８において点灯時間タイマー６により計時された使用時間を用いて不揮発性メモリー７から調光比を読み出すことで、放電灯ＦＬの光出力を略一定に保つための調光比を決定することができる。調光比設定部８により決定した調光比は調光信号生成部９に与えられ、インバータ制御部ＣＮ１に与える調光信号が生成される。ここにおいて、点灯時間タイマー６、調光比設定部８、調光信号生成部９の電源は、平滑コンデンサＣ４の両端電圧を定電圧化する３端子レギュレータＩＣ１より供給される。
【００３２】
しかして、交流電源Ｖｓが投入され平滑コンデンサＣ４の両端電圧が規定電圧に達すると、点灯時間タイマー６は不揮発性メモリー７から前回までの放電灯ＦＬの使用時間を読み出した後、調光比設定部８にこの使用時間を与える。調光比設定部８では不揮発性メモリー７に格納されている補正用テーブルに使用時間を照合し、使用時間に対応した調光比を読み出す。このようにして読み出された調光比は調光信号生成部９に与えられ、インバータ回路の出力が制御される。また、点灯時間タイマー６では使用時間を計時し、計時後の時間を不揮発性メモリー７に格納する。以後は、電源Ｖｓが供給されている期間には、使用時間を不揮発性メモリー７から読み出して新たな使用時間を不揮発性メモリー７に書き込むまでの動作を繰り返し、使用時間に応じて放電灯ＦＬへの供給電力を調節するのである。
【００３３】
調光信号生成部９からインバータ制御部ＣＮ１に与える調光信号には各種形態を採用することができ、本例では周波数が１ｋＨｚで振幅が５Ｖである矩形波信号のデューティ比によって調光比を表すＰＷＭ信号を使用することを想定しているが、たとえば０〜１０Ｖの直流電圧で調光比を与えるような調光信号を用いることも可能である。
【００３４】
タイマー機能付きインバータ４の点灯時間ｔと調光比の関係は図６に示すようになっており、点灯の初期時間においては調光比Ｘとし、点灯時間ｔとともに徐々に調光比を上げていき、定格ランプ寿命Ｔにおいて調光比１００％、即ち全点灯する。ランプ取替え直後の初期時間における調光比Ｘの決め方は、例えば全点灯したときの初期時間における光束をΦ０、定格ランプ寿命時間における光束をΦＴとした場合、Ｘ＝ΦＴ／Φ０とすれば良い。
【００３５】
放電灯ＦＬとして照明用に一般に用いられている蛍光灯では、寿命初期（ランプの交換直後）の光束を１００％とすると寿命末期の光束は７０％程度に低下することが知られている。つまり、寿命初期において放電灯点灯装置の出力を定格出力の７０％程度に設定しておき、寿命末期においては出力を１００％に引き上げれば、放電灯ＦＬの光出力を使用時間にかかわらず略一定に保つことが可能である。また、このような制御を行えば、点灯装置の出力を定格出力に対して１００％以上にする必要がなく、寿命初期においては消費電力を抑制することができて省エネルギになる。
【００３６】
本例では、機械的に操作されるリセットスイッチＳＷ３によって点灯時間をリセット可能としている。つまり、リセットスイッチＳＷ３をリセット制御部１０に接続してあり、ランプ取替え時には点灯時間をリセットできるようにしてある。リセットスイッチＳＷ３の両端にはリセット制御部１０によって、たとえば５Ｖの電圧が印加されており、リセットスイッチＳＷ３には抵抗Ｒ３が直列接続されていて、リセットスイッチＳＷ３がオンになるとリセット制御部１０への入力電圧が引き下げられ、点灯時間タイマー６と不揮発性メモリー７の点灯時間をリセットするようになっている。このリセットスイッチＳＷ３は手動で操作するものでもよいし、また、放電灯ＦＬの着脱に連動して操作されるものであってもよい。
【００３７】
さらに、図５のタイマー機能付きインバータ４では、他の調光用放電灯点灯装置（スレーブインバータ１ａ，１ｂ，…やサブマスターインバータ２ｂ）に対して、同様の調光状態の指令信号となる調光信号の出力機能を有する。スレーブインバータ１ａ，１ｂ，…やサブマスターインバータ２ｂの構成については、実施形態１と同様であり、図１のマスターインバータ２ａからの調光信号に代えて、図４のタイマー機能付きインバータ４から出力される調光信号を受けて、所定の調光状態で放電灯ＦＬを点灯させる。
【００３８】
このような形態は、例えば事務所における同一フロアの照明器具の放電灯を一斉に取り替えて使用するような用途に最適である。
【００３９】
図４のシステム構成図に示すように、交流電源Ｖｓ及び調光信号線を結線し、同一フロアの照明器具の放電灯ＦＬを一斉に取り替える。放電灯ＦＬの取替え時には、タイマー機能付きインバータ４のリセットスイッチＳＷ３を操作して、点灯時間を初期状態にリセットしておく。その後、タイマー機能付きインバータ４は点灯時間を計時していき、点灯時間に応じた調光状態で放電灯ＦＬを点灯させるとともに、他の調光インバータ１ａ，１ｂ，…，２ｂ，…に対して、同様の調光状態となるように調光信号を出力する。
【図面の簡単な説明】
【００４０】
【図１】本発明の実施形態１に係る照明制御システムの構成を示すブロック回路図である。
【図２】本発明の実施形態１に用いるマスターインバータの外部端子配置例を示す正面図である。
【図３】本発明の実施形態１に用いるスレーブインバータの内部構成例を示す回路図である。
【図４】本発明の実施形態３に係る照明制御システムの構成を示すブロック回路図である。
【図５】本発明の実施形態３に用いるタイマー機能付きインバータの内部構成例を示す回路図である。
【図６】本発明の実施形態３の初期照度補正機能の説明図である。
【符号の説明】
【００４１】
ＦＬ  放電灯
Ｖｓ  交流電源
１ａ  スレーブインバータ
１ｂ  スレーブインバータ
２ａ  マスターインバータ
３    調光コントローラ
４    タイマー機能付きインバータ
【図１】
2008010152.tif 000003
【図２】
2008010152.tif 000004
【図３】
2008010152.tif 000005
【図４】
2008010152.tif 000006
【図５】
2008010152.tif 000007
【図６】
2008010152.tif 000008